(57)【要約】  信号の繰返しと、別の信号のためにスケジュールされたリソースとの間の潜在的な衝突の問題に対する解決策を提示する方法、コンピュータ可読媒体、および装置が提供される。装置は、チャネル信号の繰返しが、別のチャネルのためにスケジュールされたリソースと衝突することになると決定し、繰返しを送信すべきか、または繰返しを送信することを控えるべきかを決定するために、優先規則を適用する。次いで、装置は、優先規則が繰返しを送信することを示すとき、繰返しを送信する。装置はまた、優先規則が、別の信号が繰返しよりも高い優先度を有することを示すとき、繰返しを送信することを控え得る。【選択図】図６
2021505031.tif 000002
【特許請求の範囲】
【請求項１】
ワイヤレス通信の方法であって、
チャネル信号の繰返しが、別のチャネルのためにスケジュールされたリソースと衝突することになると決定することと、
前記繰返しを送信すべきか、または前記繰返しを送信することを控えるべきかを決定するために、優先規則を適用することと、
前記優先規則が前記繰返しを送信することを示すとき、前記繰返しを送信することと
を備える方法。
【請求項２】
前記優先規則は、前記チャネル信号の前記繰返しが、前記別のチャネル上の送信よりも高い優先度を有することを示す、請求項１に記載の方法。
【請求項３】
前記別のチャネルのためにスケジュールされた前記リソースは、アップリンク共有チャネルを備える、請求項１に記載の方法。
【請求項４】
前記アップリンク共有チャネルは、アップリンク制御情報を備える、請求項３に記載の方法。
【請求項５】
前記アップリンク制御情報は、肯定応答、否定応答、スケジューリング要求、またはチャネル品質インジケータのうちの少なくとも１つを備える、請求項４に記載の方法。
【請求項６】
前記アップリンク共有チャネルは、データトラフィックを備える、請求項３に記載の方法。
【請求項７】
前記別のチャネルのためにスケジュールされた前記リソースは、前記チャネル信号の元の送信を備える、請求項１に記載の方法。
【請求項８】
前記別のチャネルのためにスケジュールされた前記リソースは、前記チャネル信号の繰返し送信を備える、請求項１に記載の方法。
【請求項９】
前記優先規則は、前記チャネル信号の前記繰返しが、前記チャネル信号の元の送信と同じ優先度を有することを示す、請求項１に記載の方法。
【請求項１０】
前記優先規則は、衝突が前記繰返しに対して検出されたとき、前記繰返しを送信することを控えることを示す、請求項１に記載の方法。
【請求項１１】
前記優先規則は、基地局からユーザ機器へのシグナリングにおいて受信される、請求項１に記載の方法。
【請求項１２】
前記チャネル信号は、物理ブロードキャストチャネル（ＰＢＣＨ）信号を備える、請求項１に記載の方法。
【請求項１３】
前記別のチャネルのためにスケジュールされた前記リソースは、ランダムアクセスチャネルを備える、請求項１２に記載の方法。
【請求項１４】
前記別のチャネルのためにスケジュールされた前記リソースは、チャネル状態情報基準信号（ＣＳＩ−ＲＳ）リソースまたは対応する報告リソースを備える、請求項１２に記載の方法。
【請求項１５】
前記別のチャネルのためにスケジュールされた前記リソースは、サウンディング基準信号リソースを備える、請求項１２に記載の方法。
【請求項１６】
ワイヤレス通信のための装置であって、
チャネル信号の繰返しが、別のチャネルのためにスケジュールされたリソースと衝突することになると決定するための手段と、
前記繰返しを送信すべきか、または前記繰返しを送信することを控えるべきかを決定するために、優先規則を適用するための手段と、
前記優先規則が前記繰返しを送信することを示すとき、前記繰返しを送信するための手段と
を備える装置。
【請求項１７】
前記優先規則は、前記チャネル信号の前記繰返しが、前記別のチャネル上の送信よりも高い優先度を有することを示す、請求項１６に記載の装置。
【請求項１８】
前記別のチャネルのためにスケジュールされた前記リソースは、アップリンク共有チャネルを備える、請求項１６に記載の装置。
【請求項１９】
前記アップリンク共有チャネルは、アップリンク制御情報を備える、請求項１８に記載の装置。
【請求項２０】
前記アップリンク制御情報は、肯定応答、否定応答、スケジューリング要求、またはチャネル品質インジケータのうちの少なくとも１つを備える、請求項１９に記載の装置。
【請求項２１】
前記アップリンク共有チャネルは、データトラフィックを備える、請求項１８に記載の装置。
【請求項２２】
ワイヤレス通信のための装置であって、
メモリと、
前記メモリに結合され、かつ、
チャネル信号の繰返しが、別のチャネルのためにスケジュールされたリソースと衝突することになると決定することと、
前記繰返しを送信すべきか、または前記繰返しを送信することを控えるべきかを決定するために、優先規則を適用することと、
前記優先規則が前記繰返しを送信することを示すとき、前記繰返しを送信することと
を行うように構成された少なくとも１つのプロセッサと
を備える装置。
【請求項２３】
前記優先規則は、前記チャネル信号の前記繰返しが、前記別のチャネル上の送信よりも高い優先度を有することを示す、請求項２２に記載の装置。
【請求項２４】
前記別のチャネルのためにスケジュールされた前記リソースは、アップリンク共有チャネルを備える、請求項２２に記載の装置。
【請求項２５】
前記アップリンク共有チャネルは、アップリンク制御情報を備える、請求項２４に記載の装置。
【請求項２６】
前記アップリンク制御情報は、肯定応答、否定応答、スケジューリング要求、またはチャネル品質インジケータのうちの少なくとも１つを備える、請求項２５に記載の装置。
【請求項２７】
前記アップリンク共有チャネルは、データトラフィックを備える、請求項２４に記載の装置。
【請求項２８】
ワイヤレス通信のためのコンピュータ実行可能コードを記憶したコンピュータ可読媒体であって、
チャネル信号の繰返しが、別のチャネルのためにスケジュールされたリソースと衝突することになると決定することと、
前記繰返しを送信すべきか、または前記繰返しを送信することを控えるべきかを決定するために、優先規則を適用することと、
前記優先規則が前記繰返しを送信することを示すとき、前記繰返しを送信することと
を行うためのコードを備えるコンピュータ可読媒体。
【請求項２９】
前記優先規則は、前記チャネル信号の前記繰返しが、前記別のチャネル上の送信よりも高い優先度を有することを示す、請求項２８に記載のコンピュータ可読媒体。
【請求項３０】
前記別のチャネルのためにスケジュールされた前記リソースは、アップリンク共有チャネルを備える、請求項２８に記載のコンピュータ可読媒体。
【請求項３１】
前記アップリンク共有チャネルは、アップリンク制御情報を備える、請求項３０に記載のコンピュータ可読媒体。
【請求項３２】
前記アップリンク制御情報は、肯定応答、否定応答、スケジューリング要求、またはチャネル品質インジケータのうちの少なくとも１つを備える、請求項３１に記載のコンピュータ可読媒体。
【請求項３３】
前記アップリンク共有チャネルは、データトラフィックを備える、請求項３０に記載のコンピュータ可読媒体。
【発明の詳細な説明】
【関連出願の相互参照】
【０００１】
[0001]本願は、２０１７年１１月２７日に出願された「PRIORITY RULE FOR SIGNAL REPETITION COLLISIONS」と題する米国仮特許出願第６２／５９０，９５８号、および２０１８年９月７日に出願された「PRIORITY RULE FOR SIGNAL REPETITION COLLISIONS」と題する米国特許出願第１６／１２４，７９３号の利益を主張し、これらは、その全体が参照により本明細書に明確に組み込まれている。
【背景技術】
【０００２】
[技術分野］
[0002]本開示は、一般に通信システムに関し、より詳細には、別の信号送信のためのリソースと衝突し得る信号繰返しに関する。
【０００３】
[イントロダクション］
[0003]ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球レベルで通信することを可能にする共通プロトコルを提供するために、様々な電気通信規格において採用されてきた。例となる電気通信規格が、５Ｇ新無線（ＮＲ：New Radio）である。５Ｇ  ＮＲは、レイテンシ、信頼性、セキュリティ、（例えば、モノのインターネット（ＩｏＴ）での）スケーラビリティに関連付けられた新しい要件、および他の要件を満たすために、第３世代パートナーシッププロジェクト（３ＧＰＰ（登録商標））によって公表された継続的なモバイルブロードバンドの進化の一部である。５Ｇ  ＮＲのいくつかの態様は、４Ｇロングタームエボリューション（ＬＴＥ（登録商標））規格に基づき得る。５Ｇ  ＮＲ技術におけるさらなる改善の必要性が存在する。これらの改善はまた、他のマルチアクセス（multi-access）技術、およびこれらの技術を用いる電気通信規格にも適用可能であり得る。
【発明の概要】
【０００５】
[0005]以下は、１つまたは複数の態様の基本的な理解を提供するために、そのような態様の簡略化された概要を提示する。この概要は、企図される全ての態様の広範な概観ではなく、また、全ての態様の主要または重要な要素を特定することも、任意または全ての態様の範囲を定めることも意図しない。その唯一の目的は、後に提示されるより詳細な説明への前置きとして、簡略化された形で１つまたは複数の態様のいくつかの概念を提示することである。
【０００６】
[0006]信号は、同じ信号の繰返しによって後続される初期送信（initial transmission）を有し得る。例えば、ミリメートル波（ｍｍＷ）通信では、繰返しが範囲拡張のために使用され得る。しかしながら、時として、信号の繰返しは、別の信号のためにスケジュールされたリソースと衝突し得る。
【０００７】
[0007]本明細書で提示される態様は、信号の繰返しと、別の信号のためにスケジュールされたリソースとの間のそのような潜在的な衝突を処理するという課題に対処する。本願は、送信機が、潜在的な衝突をどのように処理するかを決定するために、信号の繰返しに関する優先規則を適用する解決策を提供する。
【０００８】
[0008]本開示のある態様では、方法、コンピュータ可読媒体、および装置が提供される。装置は、チャネル信号の繰返しが、別のチャネルのためにスケジュールされたリソースと衝突することになると決定し、繰返しを送信すべきか、または繰返しを送信することを控えるべきかを決定するために、優先規則を適用する。次いで、装置は、優先規則が繰返しを送信することを示すとき、繰返しを送信する。装置はまた、優先規則が、別の信号が繰返しよりも高い優先度を有することを示すとき、繰返しを送信することを控え得る。
【０００９】
[0009]前述および関連する目的の達成のために、１つまたは複数の態様が、以下で十分に説明されかつ特許請求の範囲において具体的に示される特徴を備える。以下の説明および添付の図面は、１つまたは複数の態様のある特定の例示的な特徴を詳細に示す。しかしながら、これらの特徴は、様々な態様の原理が用いられ得る様々な方法のうちのごく一部を示すものであり、本説明は、全てのこのような態様およびそれらの同等物を含むように意図される。
【図面の簡単な説明】
【００１０】
【図１】[0010]図１は、ワイヤレス通信システムおよびアクセスネットワークの例を例示する図である。
【図２Ａ】[0011]図２Ａは、５Ｇ／ＮＲフレーム構造のためのＤＬサブフレームの例を例示する図である。
【図２Ｂ】[0011]図２Ｂは、５Ｇ／ＮＲフレーム構造のためのＤＬサブフレーム内のＤＬチャネルの例を例示する図である。
【図２Ｃ】[0011]図２Ｃは、５Ｇ／ＮＲフレーム構造のためのＵＬサブフレームの例を例示する図である。
【図２Ｄ】[0011]図２Ｄは、５Ｇ／ＮＲフレーム構造のためのＵＬサブフレーム内のＵＬチャネルの例を例示する図である。
【図３】[0012]図３は、アクセスネットワークにおける基地局とユーザ機器（ＵＥ）との例を例示する図である。
【図４】[0013]図４は、ＵＥと通信状態にある基地局を例示する図である。
【図５】[0014]図５は、ＵＥと通信状態にある基地局を例示する図である。
【図６】[0015]図６は、基地局とＵＥとの間の通信を例示する通信フロー図である。
【図７】[0016]図７は、ワイヤレス通信の方法のフローチャートである。
【図８】[0017]図８は、例示的な装置における異なる手段／コンポーネント間のデータフローを例示する概念的なデータフロー図である。
【図９】[0018]図９は、処理システムを用いる装置のためのハードウェアインプリメンテーションの例を例示する図である。
【詳細な説明】
【００１１】
[0019]添付の図面に関連して以下に示される詳細な説明は、様々な構成の説明として意図され、本明細書で説明される概念が実施され得る唯一の構成を表すようには意図されない。詳細な説明は、様々な概念の完全な理解を提供することを目的とした特定の詳細を含む。しかしながら、これらの概念が、これらの特定の詳細なしで実施され得ることは、当業者には明らかであろう。いくつかの事例では、周知の構造およびコンポーネントが、このような概念を曖昧にすることを避けるために、ブロック図形式で示される。
【００１２】
[0020]電気通信システムのいくつかの態様が、これより、様々な装置および方法に関連して提示される。これらの装置および方法は、以下の詳細な説明において説明され、様々なブロック、コンポーネント、回路、プロセス、アルゴリズムなど（「要素」と総称される）によって、添付の図面において例示される。これらの要素は、電子ハードウェア、コンピュータソフトウェア、またはこれらの任意の組合せを使用してインプリメントされ得る。このような要素がハードウェアとしてインプリメントされるか、あるいはソフトウェアとしてインプリメントされるかは、特定のアプリケーションおよびシステム全体に課される設計制約に依存する。
【００１３】
[0021]例として、要素、または要素の任意の部分、あるいは複数の要素の任意の組合せが、１つまたは複数のプロセッサを含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、および本開示全体にわたって説明される様々な機能を実行するように構成された他の好適なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはそれ以外の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数（functions）などを意味するように広く解釈されるべきである。
【００１４】
[0022]したがって、１つまたは複数の例となる実施形態では、説明される機能は、ハードウェア、ソフトウェア、またはこれらの任意の組合せでインプリメントされ得る。ソフトウェアでインプリメントされる場合、これら機能は、コンピュータ可読媒体上で、１つまたは複数の命令またはコードとして符号化または記憶され得る。コンピュータ可読媒体は、コンピュータ記憶媒体を含む。記憶媒体は、コンピュータによってアクセスされ得る任意の利用可能な媒体であり得る。限定ではなく例として、このようなコンピュータ可読媒体は、ランダムアクセスメモリ（ＲＡＭ）、読取専用メモリ（ＲＯＭ）、電気的に消去可能なプログラマブルＲＯＭ（ＥＥＰＲＯＭ（登録商標））、光ディスク記憶装置、磁気ディスク記憶装置、他の磁気記憶デバイス、前述のタイプのコンピュータ可読媒体の組合せ、あるいはコンピュータによってアクセスされ得るデータ構造または命令の形でコンピュータ実行可能コードを記憶するために使用され得るその他任意の媒体を備え得る。
【００１５】
[0023]図１は、ワイヤレス通信システムおよびアクセスネットワーク１００の例を例示する図である。ワイヤレス通信システム（ワイヤレス広域ネットワーク（ＷＷＡＮ）とも呼ばれる）は、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含み得る。マクロセルは、基地局を含む。スモールセルは、フェムトセル、ピコセル、およびマイクロセルを含む。
【００１６】
[0024]基地局１０２（発展型ユニバーサルモバイルテレコミュニケーションズシステム（ＵＭＴＳ）地上無線アクセスネットワーク（Ｅ−ＵＴＲＡＮ）と総称される）は、バックホールリンク１３２（例えば、Ｓ１インターフェース）を通じてＥＰＣ１６０とインターフェースする。他の機能に加えて、基地局１０２は、次の機能のうちの１つまたは複数を実行し得る：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージについての分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信。基地局１０２は、バックホールリンク１３４（例えば、Ｘ２インターフェース）を介して互いに直接的にまたは間接的に（例えば、ＥＰＣ１６０を通じて）通信し得る。バックホールリンク１３４は、ワイヤードまたはワイヤレスであり得る。
【００１７】
[0025]基地局１０２は、ＵＥ１０４とワイヤレスに通信し得る。基地局１０２の各々は、それぞれの地理的カバレッジエリア１１０に対して通信カバレッジを提供し得る。オーバーラップする地理的カバレッジエリア１１０が存在し得る。例えば、スモールセル１０２’は、１つまたは複数のマクロ基地局１０２のカバレッジエリア１１０にオーバーラップするカバレッジエリア１１０’を有し得る。スモールセルとマクロセルの両方を含むネットワークは、異種ネットワークとして知られ得る。異種ネットワークはまた、ホーム発展型ノードＢ（ｅＮＢ）（ＨｅＮＢ）を含み得、これは、クローズド加入者グループ（ＣＳＧ）として知られる制限されたグループにサービスを提供し得る。基地局１０２とＵＥ１０４との間の通信リンク１２０は、ＵＥ１０４から基地局１０２へのアップリンク（ＵＬ）（逆方向リンクとも呼ばれる）送信、および／または基地局１０２からＵＥ１０４へのダウンリンク（ＤＬ）（順方向リンクとも呼ばれる）送信を含み得る。通信リンク１２０は、空間多重化、ビームフォーミング、および／または送信ダイバーシティを含む、多入力他出力（ＭＩＭＯ）アンテナ技術を使用し得る。通信リンクは、１つまたは複数のキャリアを通じたものであり得る。基地局１０２／ＵＥ１０４は、各方向における送信のために使用される最大で合計Ｙｘ  ＭＨｚ（ｘ個のコンポーネントキャリア）のキャリアアグリゲーションにおいて割り振られる１キャリア当たり最大でＹ  ＭＨｚ（例えば、５、１０、１５、２０、１００ＭＨｚ）の帯域幅のスペクトルを使用し得る。キャリアは、互いに隣接していることも、隣接していないこともあり得る。キャリアの割振りは、ＤＬおよびＵＬに対して非対称であり得る（例えば、ＵＬの場合よりも多くのまたは少ないキャリアがＤＬに割り振られ得る）。コンポーネントキャリアは、１つのプライマリコンポーネントキャリアと、１つまたは複数のセカンダリコンポーネントキャリアとを含み得る。プライマリコンポーネントキャリアは、プライマリセル（ＰＣｅｌｌ：primary cell）と呼ばれ得、セカンダリコンポーネントキャリアは、セカンダリセル（ＳＣｅｌｌ：secondary cell）と呼ばれ得る。
【００１８】
[0026]ある特定のＵＥ１０４は、デバイスツーデバイス（Ｄ２Ｄ）通信リンク１９２を使用して互いに通信し得る。Ｄ２Ｄ通信リンク１９２は、ＤＬ／ＵＬ  ＷＷＡＮスペクトルを使用し得る。Ｄ２Ｄ通信リンク１９２は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）などの、１つまたは複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、ＬＴＥ、またはＮＲなどの、様々なワイヤレスＤ２Ｄ通信システムを通じ得る。
【００１９】
[0027]ワイヤレス通信システムは、５ＧＨｚアンライセンス周波数スペクトルにおける通信リンク１５４を介してＷｉ−Ｆｉ局（ＳＴＡ）１５２と通信状態にあるＷｉ−Ｆｉアクセスポイント（ＡＰ）１５０をさらに含み得る。アンライセンス周波数スペクトルで通信するとき、ＳＴＡ１５２／ＡＰ１５０は、チャネルが利用可能であるかどうかを決定するために、通信する前にクリアチャネルアセスメント（ＣＣＡ）を実行し得る。
【００２０】
[0028]スモールセル１０２’は、ライセンスおよび／またはアンライセンス周波数スペクトルで動作し得る。アンライセンス周波数スペクトルで動作するとき、スモールセル１０２’は、ＮＲを用い、Ｗｉ−Ｆｉ  ＡＰ１５０によって使用されるものと同じ５ＧＨｚアンライセンス周波数スペクトルを使用し得る。アンライセンス周波数スペクトルでＮＲを用いるスモールセル１０２’は、アクセスネットワークに対するカバレッジを強化させ、および／または、アクセスネットワークの容量を増大させ得る。
【００２１】
[0029]ｇノードＢ（ｇＮＢ）１８０は、ＵＥ１０４との通信において、ミリメートル波（ｍｍＷ）周波数および／または準ｍｍＷ周波数（near mmW frequency）で動作し得る。ｇＮＢ１８０が、ｍｍＷ周波数または準ｍｍＷ周波数で動作するとき、ｇＮＢ１８０は、ｍｍＷ基地局と呼ばれ得る。極高周波数（ＥＨＦ:extremely high frequency）は、電磁スペクトルにおけるＲＦの一部である。ＥＨＦは、３０ＧＨｚ〜３００ＧＨｚの範囲および１ミリメートルから１０ミリメートルの間の波長を有する。この帯域における電波（radio waves）は、ミリメートル波と呼ばれ得る。準ｍｍＷは、１００ミリメートルの波長を有し、３ＧＨｚの周波数にまで及び得る。超高周波（ＳＨＦ：super high frequency）帯域は、３ＧＨｚから３０ＧＨｚの間に及び、センチメートル波とも呼ばれる。ｍｍＷ／準ｍｍＷ無線周波数帯域を使用する通信は、極めて高い経路損失および短い範囲（short range）を有する。ｍｍＷ基地局１８０は、極めて高い経路損失および短い範囲を補償するために、ＵＥ１０４とのビームフォーミング１８４を利用し得る。
【００２２】
[0030]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間のシグナリングを処理する制御ノードである。一般に、ＭＭＥ１６２は、ベアラおよび接続管理を提供する。全てのユーザインターネットプロトコル（ＩＰ）パケットは、サービングゲートウェイ１６６を通じて転送され、これは、それ自体が、ＰＤＮゲートウェイ１７２に接続される。ＰＤＮゲートウェイ１７２は、ＵＥ  ＩＰアドレス割振りのみならず、他の機能も提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしての役割を果たし得、公衆陸上モバイルネットワーク（ＰＬＭＮ：public land mobile network）内でＭＢＭＳベアラサービスを認可および開始するために使用され得、およびＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２に、ＭＢＭＳトラフィックを分配するために使用され得、セッション管理（開始／停止）と、ｅＭＢＭＳに関連する課金情報（charging information）を収集することとを担い得る。
【００２３】
[0031]基地局はまた、ｇＮＢ、ノードＢ、発展型ノードＢ（ｅＮＢ）、アクセスポイント、トランシーバ基地局（base transceiver station）、無線基地局、無線トランシーバ、トランシーバ機能、基本サービスセット（ＢＳＳ）、拡張サービスセット（ＥＳＳ）、または何らかの他の好適な専門用語でも呼ばれ得る。基地局１０２は、ＵＥ１０４にＥＰＣ１６０へのアクセスポイントを提供する。ＵＥ１０４の例は、セルラフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機、タブレット、スマートデバイス、ウェアラブルデバイス、車両、電気メーター、ガスポンプ、大型または小型の台所用電化製品、ヘルスケアデバイス、インプラント、ディスプレイ、またはその他任意の同様に機能するデバイスを含む。ＵＥ１０４のうちのいくつかは、ＩｏＴデバイス（例えば、パーキングメータ、ガスポンプ、トースター、車両、心臓モニタなど）と呼ばれ得る。ＵＥ１０４はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な専門用語でも呼ばれ得る。
【００２４】
[0032]図１を再び参照すると、ある特定の態様では、基地局１８０および／またはＵＥ１０４は、例えば、図４〜図９に関連して説明されるような、信号の繰返しのための優先規則コンポーネント１９８を含むように構成され得る。
【００２５】
[0033]図２Ａは、５Ｇ／ＮＲフレーム構造内のＤＬサブフレームの例を例示する図２００である。図２Ｂは、ＤＬサブフレーム内のチャネルの例を例示する図２３０である。図２Ｃは、５Ｇ／ＮＲフレーム構造内のＵＬサブフレームの例を例示する図２５０である。図２Ｄは、ＵＬサブフレーム内のチャネルの例を例示する図２８０である。５Ｇ／ＮＲフレーム構造は、サブキャリアの特定のセット（キャリアシステム帯域幅）について、サブキャリアのセット内のサブフレームが、ＤＬまたはＵＬのいずれかに専用であるＦＤＤであり得るか、またはサブキャリアの特定のセット（キャリアシステム帯域幅）について、サブキャリアのセット内のサブフレームがＤＬとＵＬの両方に専用であるＴＤＤであり得る。図２Ａ、図２Ｃによって提供される例では、５Ｇ／ＮＲフレーム構造は、サブフレーム４がＤＬサブフレームであり、サブフレーム７がＵＬサブフレームである、ＴＤＤであると仮定される。サブフレーム４が、ＤＬのみを提供するものとして例示され、サブフレーム７が、ＵＬのみを提供するものとして例示される一方で、任意の特定のサブフレームが、ＵＬとＤＬの両方を提供する異なるサブセットに分割され得る。以下の説明は、ＦＤＤである５Ｇ／ＮＲフレーム構造にも適用されることに留意されたい。
【００２６】
[0034]他のワイヤレス通信技術は、異なるフレーム構造および／または異なるチャネルを有し得る。フレーム（１０ｍｓ）は、１０個の等しいサイズのサブフレーム（１ｍｓ）に分割され得る。各サブフレームは、１つまたは複数のタイムスロットを含み得る。各スロットは、スロット構成に依存して、７個または１４個のシンボルを含み得る。スロット構成０の場合、各スロットは、１４個のシンボルを含み得、スロット構成１の場合、各スロットは、７個のシンボルを含み得る。サブフレーム内のスロットの数は、スロット構成およびヌメロロジーに基づく。スロット構成０の場合、異なるヌメロロジー０〜５は、それぞれ、サブフレーム当たり１個、２個、４個、８個、１６個、および３２個のスロットを可能にする。スロット構成１の場合、異なるヌメロロジー０〜２は、それぞれ、サブフレーム当たり２個、４個、および８個のスロットを可能にする。サブキャリア間隔およびシンボル長／持続時間は、ヌメロロジーの関数である。サブキャリア間隔は、２μ＊１５ｋＫｚに等しくなり得、ここで、μは、ヌメロロジー０〜５である。シンボル長／持続時間は、サブキャリア間隔と逆相関する（inversely related）。図２Ａ、図２Ｃは、スロット当たり７個のシンボルを有するスロット構成１およびサブフレーム当たり２個のスロットを有するヌメロロジー０の例を提供する。サブキャリア間隔は１５ｋＨｚであり、シンボル持続時間はおよそ６６．７μｓである。
【００２７】
[0035]リソースグリッドが、フレーム構造を表すために使用され得る。各タイムスロットは、１２個の連続したサブキャリアに及ぶリソースブロック（ＲＢ）（物理ＲＢ（ＰＲＢ）とも呼ばれる）を含む。リソースグリッドは、複数のリソース要素（ＲＥ）に分割される。各ＲＥによって搬送されるビット数は、変調方式に依存する。
【００２８】
[0036]図２Ａに例示されるように、ＲＥのうちのいくつかは、ＵＥのための基準（パイロット）信号（ＲＳ）（Ｒとして示される）を搬送する。ＲＳは、ＵＥにおけるチャネル推定のために、チャネル状態情報基準信号（ＣＳＩ−ＲＳ）および復調ＲＳ（ＤＭ−ＲＳ）を含み得る。ＲＳはまた、ビーム測定ＲＳ（ＢＲＳ）、ビームリファインメントＲＳ（ＢＲＲＳ）、および位相追跡ＲＳ（ＰＴ−ＲＳ）を含み得る。
【００２９】
[0037]図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が１つのシンボルを占有するか、２つのシンボルを占有するか、または３つのシンボルを占有するかを示す制御フォーマットインジケータ（ＣＦＩ）を搬送する（図２Ｂは、３つのシンボルを占有するＰＤＣＣＨを例示する）。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボル中に４つの連続したＲＥを含む。ＵＥは、同じくＤＣＩを搬送するＵＥ固有の拡張ＰＤＣＣＨ（ｅＰＤＣＣＨ）で構成され得る。ｅＰＤＣＣＨは、２つ、４つ、または８つのＲＢペアを有し得る（図２Ｂは、２つのＲＢペアを示し、各サブセットが１つのＲＢペアを含む）。物理ハイブリッド自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱ確認応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり得る。ＰＳＣＨは、サブフレーム／シンボルタイミングおよび物理レイヤ識別情報を決定するためにＵＥ１０４によって使用されるプライマリ同期信号（ＰＳＳ）を搬送する。セカンダリ同期チャネル（ＳＳＣＨ）は、フレームのサブフレーム０および５内のスロット０のシンボル５内にあり得る。ＳＳＣＨは、物理レイヤセル識別情報グループ番号および無線フレームタイミングを決定するためにＵＥによって使用されるセカンダリ同期信号（ＳＳＳ）を搬送する。物理レイヤ識別情報および物理レイヤセル識別情報グループ番号に基づいて、ＵＥは、物理セル識別子（ＰＣＩ）を決定し得る。ＰＣＩに基づいて、ＵＥは、前述したＤＬ−ＲＳの位置を決定し得る。マスタ情報ブロック（ＭＩＢ）を搬送する物理ブロードキャストチャネル（ＰＢＣＨ）は、同期信号（ＳＳ）／ＰＢＣＨブロックを形成するために、ＰＳＣＨおよびＳＳＣＨと論理的にグループ化され得る。ＭＩＢは、ＤＬシステム帯域幅におけるＲＢの数、ＰＨＩＣＨ構成、およびシステムフレーム番号（ＳＦＮ）を提供する。物理ダウンリンク共有チャネル（ＰＤＳＣＨ）は、ページングメッセージ、システム情報ブロック（ＳＩＢ）のようなＰＢＣＨを通じて送信されないブロードキャストシステム情報、およびユーザデータを搬送する。
【００３０】
[0038]図２Ｃに例示されるように、ＲＥのうちのいくつかは、基地局におけるチャネル推定のために復調基準信号（ＤＭ−ＲＳ）を搬送する。ＵＥは、追加としてサブフレームの最後のシンボルにおいてサウンディング基準信号（ＳＲＳ）を送信し得る。ＳＲＳは、コーム構造(comb structure）を有し得、ＵＥは、コームのうちの１つ上でＳＲＳを送信し得る。ＳＲＳは、ＵＬ上での周波数依存スケジューリングを可能にするためのチャネル品質推定のために、基地局によって使用され得る。
【００３１】
[0039]図２Ｄは、フレームのＵＬサブフレーム内の様々なチャネルの例を例示する。物理ランダムアクセスチャネル（ＰＲＡＣＨ）は、ＰＲＡＣＨ構成に基づいて、フレーム内の１つまたは複数のサブフレーム内にあり得る。ＰＲＡＣＨは、サブフレーム内に６つの連続したＲＢペアを含み得る。ＰＲＡＣＨは、ＵＥが初期システムアクセスを実行し、ＵＬ同期を達成することを可能にする。物理アップリンク制御チャネル（ＰＵＣＣＨ）は、ＵＬシステム帯域幅の両端に位置し得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなどの、アップリンク制御情報（ＵＣＩ）を搬送する。ＰＵＳＣＨは、データを搬送し、追加として、バッファステータス報告（ＢＳＲ）、電力ヘッドルーム報告（ＰＨＲ）、および／またはＵＣＩを搬送するために使用され得る。
【００３２】
[0040]図３は、アクセスネットワークにおいてＵＥ３５０と通信状態にある基地局３１０のブロック図である。ＤＬでは、ＥＰＣ１６０からのＩＰパケットは、コントローラ／プロセッサ３７５に提供され得る。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスと、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、およびＵＥ測定報告のための測定構成に関連付けられたＲＲＣレイヤの機能；ヘッダ圧縮／解凍、セキュリティ（暗号化、暗号解読、完全性保護、完全性検証）、およびハンドオーバサポート機能に関連付けられたＰＤＣＰレイヤの機能；上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤの機能；ならびに、論理チャネルとトランスポートチャネルとの間のマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱを通じた誤り訂正、優先処理（priority handling）、および論理チャネル優先順位付けに関連付けられたＭＡＣレイヤの機能を提供する。
【００３３】
[0041]送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含み得る。ＴＸプロセッサ３１６は、様々な変調方式（例えば、二相位相シフトキーイング（ＢＰＳＫ）、直交位相シフトキーイング（ＱＰＳＫ）、Ｍ値位相シフトキーイング（Ｍ−ＰＳＫ）、Ｍ値直交振幅変調（Ｍ−ＱＡＭ））に基づいて、信号コンステレーションへのマッピングを処理する。次いで、コーディングおよび変調されたシンボルは、並列ストリームに分割され得る。次いで、各ストリームは、ＯＦＤＭサブキャリアにマッピングされ、時間ドメインおよび／または周波数ドメインにおいて基準信号（例えば、パイロット）と多重化され、次いで、逆高速フーリエ変換（ＩＦＦＴ）を使用して共に組み合わされて、時間ドメインＯＦＤＭシンボルストリームを搬送する物理チャネルを生成し得る。ＯＦＤＭストリームは、複数の空間ストリームを生成するために、空間的にプリコーディングされる。チャネル推定器３７４からのチャネル推定値は、コーディングおよび変調方式を決定するためのみならず、空間処理のためにも使用され得る。チャネル推定値は、ＵＥ３５０によって送信されたチャネル状態フィードバックおよび／または基準信号から導出され得る。次いで、各空間ストリームは、別個の送信機３１８ＴＸを介して異なるアンテナ３２０に提供され得る。各送信機３１８ＴＸは、送信のためのそれぞれの空間ストリームを用いてＲＦキャリアを変調し得る。
【００３４】
[0042]ＵＥ３５０において、各受信機３５４ＲＸは、そのそれぞれのアンテナ３５２を通じて信号を受信する。各受信機３５４ＲＸは、ＲＦキャリア上に変調された情報を復元し、この情報を受信（ＲＸ）プロセッサ３５６に提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０宛ての任意の空間ストリームを復元するために、この情報に対して空間処理を実行し得る。複数の空間ストリームがＵＥ３５０宛てである場合、それらは、ＲＸプロセッサ３５６によって、単一のＯＦＤＭシンボルストリームに組み合わされ得る。次いで、ＲＸプロセッサ３５６は、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとに別個のＯＦＤＭシンボルストリームを備える。各サブキャリア上のシンボル、および基準信号は、基地局３１０によって送信された最も可能性の高い信号コンステレーションポイントを決定することによって復元および復調される。これらの軟判定は、チャネル推定器３５８によって計算されたチャネル推定値に基づき得る。次いで、軟判定は、物理チャネル上で基地局３１０によって本来送信されたデータおよび制御信号を復元するために、復号およびデインターリーブされる。次いで、データおよび制御信号は、レイヤ３およびレイヤ２の機能をインプリメントするコントローラ／プロセッサ３５９に提供される。
【００３５】
[0043]コントローラ／プロセッサ３５９は、プログラムコードおよびデータを記憶するメモリ３６０に関連付けられ得る。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間の逆多重化、パケットリアセンブリ、暗号解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用した誤り検出を担う。
【００３６】
[0044]基地局３１０によるＤＬ送信に関連して説明された機能と同様に、コントローラ／プロセッサ３５９は、システム情報（例えば、ＭＩＢ、ＳＩＢ）獲得、ＲＲＣ接続、および測定報告に関連付けられたＲＲＣレイヤの機能；ヘッダ圧縮／解凍、およびセキュリティ（暗号化、暗号解読、完全性保護、完全性検証）に関連付けられたＰＤＣＰレイヤの機能；上位レイヤＰＤＵの転送、ＡＲＱを通じた誤り訂正、ＲＬＣ  ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能；ならびに、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを通じた誤り訂正、優先処理、および論理チャネル優先順位付けに関連付けられたＭＡＣレイヤの機能を提供する。
【００３７】
[0045]基地局３１０によって送信されたフィードバックまたは基準信号からチャネル推定器３５８によって導出されるチャネル推定値は、適切なコーディングおよび変調方式を選択するため、および空間処理を促進するために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためのそれぞれの空間ストリームを用いてＲＦキャリアを変調し得る。
【００３８】
[0046]ＵＬ送信は、ＵＥ３５０における受信機機能に関連して説明されたのと同様の方法で基地局３１０において処理される。各受信機３１８ＲＸは、そのそれぞれのアンテナ３２０を通じて信号を受信する。各受信機３１８ＲＸは、ＲＦキャリア上に変調された情報を復元し、この情報をＲＸプロセッサ３７０に提供する。
【００３９】
[0047]コントローラ／プロセッサ３７５は、プログラムコードおよびデータを記憶するメモリ３７６に関連付けられ得る。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間の逆多重化、パケットリアセンブリ、暗号解読、ヘッダ解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用した誤り検出を担う。
【００４０】
[0048]図４は、ＵＥ４０４と通信状態にある基地局４０２を例示する図４００である。図４を参照すると、基地局４０２は、方向４０２ａ、４０２ｂ、４０２ｃ、４０２ｄ、４０２ｅ、４０２ｆ、４０２ｇ、４０２ｈのうちの１つまたは複数において、ビームフォーミングされた信号をＵＥ４０４に送信し得る。ＵＥ４０４は、１つまたは複数の受信方向４０４ａ、４０４ｂ、４０４ｃ、４０４ｄにおいて、基地局４０２からビームフォーミングされた信号を受信し得る。ＵＥ４０４はまた、方向４０４ａ〜４０４ｄのうちの１つまたは複数において、ビームフォーミングされた信号を基地局４０２に送信し得る。基地局４０２は、受信方向４０２ａ〜４０２ｈのうちの１つまたは複数において、ＵＥ４０４からビームフォーミングされた信号を受信し得る。基地局４０２／ＵＥ４０４は、基地局４０２／ＵＥ４０４の各々についての最良の受信方向および送信方向を決定するために、ビームトレーニングを実行し得る。基地局４０２についての送信方向および受信方向は、同じであることも、同じでないこともあり得る。ＵＥ４０４についての送信方向および受信方向は、同じであることも、同じでないこともあり得る。
【００４１】
[0049]５Ｇ  ＮＲでは、信号は、同じ信号の繰返しによって後続される初期送信を有し得る。例えば、ｍｍＷ通信は、例えば、範囲拡張のための、信号繰返しを含み得る。しかしながら、時として、信号の繰返しは、別の信号のためにスケジュールされたリソースと衝突し得る。本明細書で提示される態様は、信号の繰返しと、別の信号のためにスケジュールされたリソースとの間のそのような潜在的な衝突を処理するという課題に対処する。例えば、基地局および／またはＵＥは、そのようなスケジュールされたリソースと、信号繰返しとの間のオーバーラップをどのように処理するかを決定するために、信号の繰返しに関する優先規則を適用し得る。
【００４２】
[0050]ワイヤレス通信のための装置、例えば、ＵＥまたは基地局は、第１のチャネル信号についての信号の繰返しが、第２のチャネルのためにスケジュールされたリソースと衝突することになると決定し得る。装置は、信号が繰返しであることに基づいて、第１のチャネルのための信号を送信すべきか、または第１のチャネルのための信号を送信することを控えるべきかを決定し得る。例えば、装置は、第１のチャネルのための信号が第２のチャネルのためにスケジュールされたリソースとオーバーラップすることになるとき、この信号の繰返しに関する優先規則を適用し得る。
【００４３】
[0051]一例として、時分割複信（ＴＤＤ）ランダムアクセスチャネル（ＲＡＣＨ）構成が、ＳＳまたはＰＢＣＨブロックなどの、実際の送信信号の時間位置にかかわらず、ＲＡＣＨリソースをスロット上にマッピングし得る。優先規則は、そのようなＲＡＣＨリソースと他の信号との間のオーバーラップをどのように処理するかを決定するのに役立ち得る。
【００４４】
[0052]図５は、基地局５０２がＵＥ５０４に信号５０６を送信する、ｍｍＷ通信システム５００を例示する。図５に例示されるように、基地局は、ＵＥに信号を複数回送信し得、例えば、信号を最初の１回送信し、次いで、同じ信号を複数回繰り返して、ＵＥが信号を受信するのを支援する。一例では、信号はＰＢＣＨを備え得る。
【００４５】
[0053]信号５０６の繰返しは、他の信号チャネル／送信と衝突し得る。この例は、ＰＢＣＨについて提示される一方で、ダウンリンクチャネルとアップリンクチャネルの両方を含む、他のチャネルの繰返しについても、同じ問題が生じ得る。例えば、問題は、ＰＤＣＣＨ、ＰＤＳＣＨ、ＣＳＩ−ＲＳ、ＰＲＡＣＨ、ＰＵＣＣＨ、ＰＵＳＣＨ、ＳＲＳなどのうちの任意のものの繰返しについて生じ得る。したがって、図５のこの例は、基地局５０２が信号を送信することを例示する一方で、ＵＥ５０４は、基地局５０２に信号を送信する際に、同様に繰返しを用い得る。ＵＥからのこのような繰返しは、他の信号チャネル／送信のためにスケジュールされたリソースとの潜在的な衝突を同様に有し得る。
【００４６】
[0054]本明細書で提示される態様は、信号の繰返しと、別の信号のためにスケジュールされたリソースとの間のそのような潜在的な衝突を処理するという課題に対処する。本願は、送信機が、潜在的な衝突をどのように処理するかを決定するために、信号の繰返しに関する優先規則を適用する解決策を提供する。
【００４７】
[0055]図６は、ＵＥ６０２と基地局６０４との間の例となる通信フロー６００を例示する。６０５において、基地局は、信号の初期送信を実行する。６０７において、基地局は、６０５において送信された初期信号の繰返しが、別の信号チャネル／送信のためのリソースと衝突することになると決定する。６０９において、基地局は、衝突する繰返しをどのように処理するか、例えば、繰返しを送信すべきか、または繰返しを送信することを控えるべきかを決定するために、繰返しの優先規則を適用し得る。
【００４８】
[0056]一例では、６０５における初期送信は、ＰＢＣＨ送信を備え得る。したがって、繰返しの優先規則は、別の信号と比較して、ＰＢＣＨの繰返しの優先度を示し得る。別の信号は、ＰＲＡＣＨ信号を備え得、これは、周期的、半永続的（semi-persistent）、または非周期的な信号として構成され得る。優先規則は、ＰＲＡＣＨ信号のためのリソースに対する（relative to）ＰＢＣＨ繰返しの優先度を示し得る。別の信号は、ＣＳＩ−ＲＳ信号または対応する報告を備え得、これは、周期的、半永続的、または非周期的な信号として構成され得る。ＣＳＩ−ＲＳは、ＣＳＩフィードバックのためにまたはビーム管理のために送信され得る。優先規則は、ＣＳＩ−ＲＳ信号のためのおよび／または対応する報告のためのリソースに対するＰＢＣＨの繰返しの優先度を示し得る。別の信号は、ＳＲＳ信号を備え得、これは、周期的、半永続的、または非周期的な信号として構成され得る。ＳＲＳは、ＣＳＩ測定を提供するために、またはクロスリンク干渉測定および対応する報告のために送信され得る。優先規則は、ＳＲＳ信号および／または対応する報告のためのリソースに対するＰＢＣＨの繰返しの優先度を示し得る。別の信号は、例えば、アップリンク制御情報（ＵＣＩ）を備える、ＰＵＳＣＨ送信および／またはＰＵＣＣＨ送信を備え得る。例えば、ＰＵＣＣＨ／ＰＵＳＣＨは、肯定応答（ＡＣＫ）、否定応答（ＮＡＣＫ）、スケジューリング要求（ＳＲ）、またはチャネル品質インジケータ（ＣＱＩ）のいずれかを備え得る。優先規則は、ＰＵＣＣＨ送信および／またはＰＵＳＣＨ送信のためのリソースに対するＰＢＣＨの繰返しの優先度を示し得る。優先規則は、ＵＣＩを備えるＰＵＣＣＨ／ＰＵＳＣＨ送信に固有であり得る。優先規則は、ＰＵＣＣＨ／ＰＵＳＣＨ送信に含まれるＵＣＩのタイプに固有であり得る。別の信号は、ＰＵＳＣＨ送信におけるアップリンクデータを備え得る。アップリンク送信のためにスケジュールされるリソースは、半静的であり得る。別の例では、動的なダウンリンク／アップリンク構成が存在し得る。共有チャネルは、動的なＤＬ／ＵＬ構成を有し得るので、時として、基地局からのチャネル信号繰返しは、ＤＬ部分において開始し得、ＵＬ部分へと継続するようにスケジュールされ得る。したがって、優先規則は、ＵＬ部分において繰返しを送信することを進めるべきか、またはＵＬ部分へと継続することになる繰返しを送信することを控えるべきかを基地局に示し得る。
【００４９】
[0057]優先規則は、別のチャネルの信号の初期送信に対する繰返しの優先度に対処（address）し得る。別のチャネルもまた、繰返しを用い得る。したがって、時として、信号チャネルの繰返しは、別のチャネル信号の初期送信ではなく、その別のチャネル信号の繰返しとオーバーラップし得る。優先規則はまた、繰返し間の潜在的な衝突についての優先度レベルに対処し得る。したがって、基地局６０４は、チャネル信号の元の送信が別のチャネルのためにスケジュールされたリソースと衝突することになるとき、元の送信を送信することを控えることを決定し得、一方、基地局６０４は、繰返しが別のチャネルのためにスケジュールされたリソースと衝突することになるとき、チャネル信号の繰返しを送信することを決定し得る。
【００５０】
[0058]この例は、ＰＢＣＨの繰返しについて説明される一方で、衝突は、基地局からの他のダウンリンク繰返しについて、またはＵＥ６０２からの他のアップリンク繰返しについて同様に生じ得る。図５に関連して説明されたように、衝突は、ＵＥからのＰＵＣＣＨの繰返しについて生じ得る。上述されたように、ＰＵＣＣＨの繰返しが衝突することになる別の信号は、ＰＵＳＣＨ送信を備え得る。ＰＵＳＣＨ送信は、ＵＣＩ、例えば、ＡＣＫ／ＮＡＣＫ、ＳＲ、および／またはＣＱＩのうちの任意のものを備え得る。
【００５１】
[0059]図６では、基地局は、６１１において、繰返しの優先規則に基づいて、繰返しを送信し得る。例えば、優先規則は、繰返しがそれが衝突することになるチャネル／送信よりも高い優先度を有することを示し得る。同様に、基地局は、優先規則が、繰返しがそれが衝突することになるチャネル／送信よりも低い優先度を有することを示すとき、６１３において、繰返しを送信することを控え得る。
【００５２】
[0060]第１の例では、優先規則は、チャネル信号の繰返しが、チャネル信号の元の送信と同じ優先度を有することを示し得る。この例では、基地局またはＵＥは、それが初期送信であるか繰返しであるかにかかわらず、信号に関する優先規則を適用し得る。
【００５３】
[0061]第２の例では、優先規則は、チャネル信号の繰返しが、別のチャネル上の送信よりも高い優先度を有することを示し得る。例えば、繰返しの優先規則は、信号の繰返しが、常により高い優先度を有すること、例えば、別のチャネルを上書きすることを示し得る。ＰＵＣＣＨの繰返しとＰＵＳＣＨのためのリソースとの間の潜在的な衝突について上記で説明された例では、優先規則は、ＰＵＣＣＨの繰返しが送信されるべきであることを示し得る。これは、初期ＰＵＣＣＨ送信についての結果とは異なり得る。
【００５４】
[0062]第３の例では、優先規則は、衝突が繰返しに対して検出されたとき、繰返しを送信することを控えることを示し得る。例えば、優先規則は、別のチャネルが、常により高い優先度を有すること、例えば、繰返しを上書きすることを示し得る。
【００５５】
[0063]優先規則は、例えば、６０３において例示されるように、セルからのシグナリングにおいて、例えば、基地局からユーザ機器へのシグナリングにおいて、受信され得る。例えば、優先規則は、セルによってブロードキャストされるシステム情報において示され得る。優先規則は、制御要素において示され得る。これは、セルが優先規則を動的にシグナリングすることを可能にする。
【００５６】
[0064]図７は、ワイヤレス通信の方法のフローチャート７００である。方法は、衝突する繰返しがダウンリンク信号のためのものであるとき、基地局（例えば、基地局１０２、１８０、３１０、４０２、５０２、６０４、装置８０２、８０２’）によって実行され得る。別の例では、方法は、衝突する繰返しがアップリンク信号のためのものであるとき、ＵＥ（例えば、ＵＥ１０４、３５０、４０４、５０４、６０２、８５０）によって実行され得る。７０２において、基地局またはＵＥは、チャネル信号の繰返しが、別のチャネルのためにスケジュールされたリソースと衝突することになると決定する。
【００５７】
[0065]７０４において、基地局またはＵＥは、繰返しを送信すべきか、または繰返しを送信することを控えるべきかを決定するために、優先規則を適用する。別のチャネルのためにスケジュールされたリソースは、チャネル信号の元の送信を備え得る。別のチャネルのためにスケジュールされたリソースは、チャネル信号の繰返し送信を備える。優先規則は、繰返しと衝突する別のチャネルが元の送信であるか、または繰返しであるかに依存して異なり得る。
【００５８】
[0066]第１の例では、優先規則は、チャネル信号の繰返しが、チャネル信号の元の送信と同じ優先度を有することを示し得る。この例では、基地局またはＵＥは、それが初期送信であるか繰返しであるかにかかわらず、信号に関する優先規則を適用し得る。
【００５９】
[0067]第２の例では、優先規則は、チャネル信号の繰返しが、別のチャネル上の送信よりも高い優先度を有することを示し得る。例えば、繰返しの優先規則は、信号の繰返しが、常により高い優先度を有すること、例えば、別のチャネルを上書きすることを示し得る。
【００６０】
[0068]第３の例では、優先規則は、衝突が繰返しに対して検出されたとき、繰返しを送信することを控えることを示し得る。例えば、優先規則は、別のチャネルが、常により高い優先度を有すること、例えば、繰返しを上書きすることを示し得る。
【００６１】
[0069]優先規則は、セルからのシグナリングにおいて、例えば、基地局からユーザ機器へのシグナリングにおいて、受信され得る。例えば、優先規則は、セルによってブロードキャストされるシステム情報において示され得る。優先規則は、制御要素において示され得る。これは、セルが優先規則を動的にシグナリングすることを可能にする。
【００６２】
[0070]一例では、チャネル信号は、基地局によって送信されるべきＰＢＣＨを備え得る。この例では、図７における方法は、衝突が検出されたときにＰＢＣＨの繰返しを送信すべきかどうかを決定するために、基地局によって実行されことになる。ＰＢＣＨは、ＲＡＣＨ、ＣＳＩ−ＲＳ、ＳＲＳ、ＰＵＣＣＨ、ＰＵＳＣＨ、ＵＣＩなどのうちの任意のもののためのリソースと衝突し得る。
【００６３】
[0071]ＰＢＣＨは、繰返しが別の信号のためにスケジュールされたリソースと衝突し得るチャネル信号の一例にすぎない。他の例では、繰返しは、基地局によって送信されるＰＤＣＣＨ、ＰＤＳＣＨ、ＣＳＩ−ＲＳなどのためのものであり得る。追加の例では、ＵＥは、アップリンクチャネルの繰返しと、別のチャネルのためにスケジュールされたリソースとの間の衝突を検出し得る。この例では、繰返しは、ＰＲＡＣＨ、ＰＵＣＣＨ、ＰＵＳＣＨ、ＳＲＳなどのうちの任意のもののためのものであり得る。
【００６４】
[0072]したがって、別のチャネルのためにスケジュールされたリソースは、ランダムアクセスチャネル、例えば、ＰＲＡＣＨを備え得る。それに対して衝突が検出されかつ優先規則が適用されるＰＲＡＣＨは、周期的なチャネル送信、半永続的なチャネル送信、または非周期的なチャネル送信として構成され得る。
【００６５】
[0073]別の例では、別のチャネルのためのスケジュールされたリソースは、ＣＳＩ−ＲＳリソースまたは対応する報告のためのリソースを備え得る。それに対して衝突が検出されかつ優先規則が適用されるＣＳＩ−ＲＳは、周期的なチャネル送信、半永続的なチャネル送信、または非周期的なチャネル送信として構成され得る。
【００６６】
[0074]別の例では、別のチャネルのためのスケジュールされたリソースは、サウンディング基準信号（ＳＲＳ）リソースを備え得る。ＳＲＳは、ＣＳＩ測定のためのものであるか、またはクロスリンク干渉測定および／または対応する報告のためのものであり得る。それに対して衝突が検出されかつ優先規則が適用されるＳＲＳは、周期的なチャネル送信、半永続的なチャネル送信、または非周期的なチャネル送信として構成され得る。
【００６７】
[0075]別の例では、別のチャネルは、アップリンク制御チャネル、例えば、ＰＵＣＣＨ、またはアップリンク共有チャネル、例えば、ＰＵＳＣＨ、およびスケジュールされたリソースを備え得る。ＰＵＣＣＨまたはＰＵＳＣＨは、ＵＣＩリソースを備え得る。ＵＣＩは、ＡＣＫ／ＮＡＣＫ、ＳＲ、またはＣＱＩのうちの少なくとも１つを備え得る。
【００６８】
[0076]したがって、図５および図６に関連して説明されたように、チャネル信号の繰返しは、ＰＵＣＣＨの繰返しを備え得る。同様に、別のチャネルのためのリソーススケジュールは、ＰＵＳＣＨのためのリソースを備え得る。この例では、図７における方法は、ＰＵＣＣＨの繰返しを送信すべきかどうかを決定するために、ＵＥによって実行されることになる。
【００６９】
[0077] 別のチャネルのためにスケジュールされたリソースは、データトラフィックを備え得る。例えば、別のチャネルは、アップリンク共有チャネル、例えば、ＰＵＳＣＨを備え得、スケジュールされたリソースは、データ送信リソースを備え得る。アップリンク共有チャネルは、半静的な構成を有し得るか、または動的なＤＬ／ＵＬ構成を有し得る。共有チャネルは、動的なＤＬ／ＵＬ構成を有し得るので、時として、基地局からのチャネル信号繰返しは、ＤＬ部分において開始し得、ＵＬ部分へと継続するようにスケジュールされ得る。したがって、優先規則は、ＵＬ部分において繰返しを送信することを進めるべきか、またはＵＬ部分へと継続することになる繰返しを送信することを控えるべきかを基地局に示し得る。
【００７０】
[0078]優先規則は、別のチャネルの信号の初期送信に対する繰返しの優先度に対処し得る。別のチャネルもまた、繰返しを用い得る。したがって、時として、信号チャネルの繰返しは、別のチャネル信号の初期送信ではなく、その別のチャネル信号の繰返しとオーバーラップし得る。優先規則はまた、繰返し間の潜在的な衝突についての優先度レベルに対処し得る。
【００７１】
[0079]７０６において、基地局またはＵＥは、優先規則が繰返しを送信することを示すとき、繰返しを送信する。同様に、７０８において、基地局またはＵＥは、優先規則が、繰返しが別の信号よりも低い優先度を有することを示すとき、繰返しを送信することを控え得る。
【００７２】
[0080]図８は、例示的な装置８０２における異なる手段／コンポーネント間のデータフローを例示する概念的なデータフロー図８００である。装置は、基地局（例えば、基地局１０２、１８０、３１０、４０２、５０２、６０４）またはＵＥ（例えば、ＵＥ１０４、３５０、４０４、５０４、６０２、８５０）であり得る。装置は、基地局の例を使用して例示されるが、繰返しがＵＥによって送信される信号のためのものであるとき、ＵＥ内の同様のコンポーネントが同様の機能を実行し得る。装置は、ＵＥ８５０からアップリンク通信を受信する受信コンポーネント８０４と、ＵＥ８５０にダウンリンク信号を送信する送信コンポーネント８０６とを含む。装置は、チャネル信号の繰返しが、別のチャネルのためにスケジュールされたリソースと衝突することになるかどうかを決定するように構成された衝突検出コンポーネント８１０を含み得る。衝突検出コンポーネント８１０は、信号コンポーネント８０８から、繰返しが占有し得るリソースについての情報を受信し得、例示されていないが、別の信号に対応するコンポーネントからのスケジューリング情報を同様に受信し得る。装置は、繰返しを送信すべきか、または繰返しを送信することを控えるべきかを決定するために、優先規則を適用するように構成された優先規則コンポーネント８１２を含み得る。装置は、優先規則が繰返しを送信することを示すとき、例えば、送信コンポーネント８０６を介して、繰返しを送信するように構成された信号コンポーネント８０８を含み得る。信号コンポーネント８０８は、優先規則が繰返しを送信することを控えることを示すとき、繰返しを送信することを控えるように同様に構成され得る。
【００７３】
[0081]装置は、図６および図７の前述のフローチャートにおけるアルゴリズムのブロックの各々を実行する追加のコンポーネントを含み得る。したがって、図６および図７の前述のフローチャートにおける各ブロックは、１つのコンポーネントによって実行され得、装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによってインプリメントされるか、プロセッサによるインプリメンテーションのためにコンピュータ可読媒体内に記憶されるか、またはこれらの何らかの組合せであり得る。
【００７４】
[0082]図９は、処理システム９１４を用いる装置８０２’のためのハードウェアインプリメンテーションの例を例示する図９００である。処理システム９１４は、概してバス９２４によって表される、バスアーキテクチャを用いてインプリメントされ得る。バス９２４は、処理システム９１４の特定のアプリケーションおよび全体的な設計制約に依存して、任意の数の相互接続バスおよびブリッジを含み得る。バス９２４は、プロセッサ９０４、コンポーネント８０４、８０６、８０８、８１０、８１２、およびコンピュータ可読媒体／メモリ９０６によって表される、１つまたは複数のプロセッサおよび／またはハードウェアコンポーネントを含む様々な回路を共にリンクする。バス９２４はまた、タイミングソース、周辺機器、電圧レギュレータ、および電力管理回路などの様々な他の回路をリンクさせ得、これらは、当該技術分野において周知であり、したがって、これ以上は説明されない。
【００７５】
[0083]処理システム９１４は、トランシーバ９１０に結合され得る。トランシーバ９１０は、１つまたは複数のアンテナ９２０に結合される。トランシーバ９１０は、送信媒体を介して様々な他の装置と通信するための手段を提供する。トランシーバ９１０は、１つまたは複数のアンテナ９２０から信号を受信し、受信された信号から情報を抽出し、抽出された情報を処理システム９１４、具体的には受信コンポーネント８０４に提供する。加えて、トランシーバ９１０は、処理システム９１４、具体的には送信コンポーネント８０６から情報を受信し、受信された情報に基づいて、１つまたは複数のアンテナ９２０に適用されることになる信号を生成する。処理システム９１４は、コンピュータ可読媒体／メモリ９０６に結合されたプロセッサ９０４を含む。プロセッサ９０４は、コンピュータ可読媒体／メモリ９０６に記憶されたソフトウェアの実行を含む、汎用処理を担う。ソフトウェアは、プロセッサ９０４によって実行されると、処理システム９１４に、任意の特定の装置に関して上記で説明された様々な機能を実行させる。コンピュータ可読媒体／メモリ９０６はまた、ソフトウェアを実行するとき、プロセッサ９０４によって操作されるデータを記憶するために使用され得る。処理システム９１４は、コンポーネント８０４、８０６、８０８、８１０、８１２のうちの少なくとも１つをさらに含む。コンポーネントは、プロセッサ９０４において実行中の、コンピュータ可読媒体／メモリ９０６中に存在する／記憶されたソフトウェアコンポーネント、プロセッサ９０４に結合された１つまたは複数のハードウェアコンポーネント、またはこれらの何らかの組合せであり得る。処理システム９１４は、基地局３１０のコンポーネントであり、メモリ３７６ならびに／またはＴＸプロセッサ３１６、ＲＸプロセッサ３７０、およびコントローラ／プロセッサ３７５のうちの少なくとも１つを含み得る。
【００７６】
[0084]一構成では、ワイヤレス通信のための装置８０２／８０２’は、チャネル信号の繰返しが、別のチャネルのためにスケジュールされたリソースと衝突することになると決定するための手段と、繰返しを送信すべきか、または繰返しを送信することを控えるべきかを決定するために、優先規則を適用するための手段と、優先規則が繰返しを送信することを示すとき、繰返しを送信するための手段とを含む。前述の手段は、前述の手段によって記載された機能を実行するように構成された装置８０２’の処理システム９１４および／または装置８０２の前述のコンポーネントのうちの１つまたは複数であり得る。例えば、決定するための手段は、衝突検出コンポーネント８１０を備え得、優先規則を適用するための手段は、優先規則コンポーネント８１２を備え得、信号を送信するための手段は、信号コンポーネント８０８および／または送信コンポーネント８０６を備え得る。上記で説明されたように、処理システム９１４は、ＴＸプロセッサ３１６、ＲＸプロセッサ３７０、およびコントローラ／プロセッサ３７５を含み得る。したがって、一構成では、前述の手段は、前述の手段によって記載された機能を実行するよう構成されたＴＸプロセッサ３１６、ＲＸプロセッサ３７０、およびコントローラ／プロセッサ３７５であり得る。
【００７７】
[0085]開示されたプロセス／フローチャートにおけるブロックの特定の順序または階層は、例示的なアプローチの例示であることが理解される。設計の選好に基づいて、プロセス／フローチャートにおけるブロックの特定の順序または階層は、並べ換えられ得ることが理解される。さらに、いくつかのブロックは、組み合わされるか、または省略され得る。添付の方法の請求項は、様々なブロックの要素をサンプル順序で提示したものであり、提示された特定の順序または階層に限定されるようには意図されない。
【００７８】
[0086]先の説明は、いかなる当業者であっても、本明細書で説明された様々な態様を実施することを可能にするように提供された。これらの態様への様々な修正は、当業者には容易に明らかとなり、本明細書で定義された一般原理は、他の態様に適用され得る。したがって、特許請求の範囲は、本明細書に示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。別段に明記されていない限り、「いくつかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバを含み得る。当業者に知られているか、または後に知られることとなる、本開示全体を通して説明された様々な態様の要素に対する全ての構造的および機能的な同等物は、参照によってここに明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。「モジュール」、「メカニズム」、「要素」、「デバイス」、および同様の用語は、「手段」という用語の代用になり得ない。したがって、いずれの請求項の要素も、その要素が「〜のための手段（means for）」という表現を使用して明記されていない限り、ミーンズプラスファンクションとして解釈されるべきではない。
【図１】
2021505031.tif 000003
【図２Ａ】
2021505031.tif 000004
【図２Ｂ】
2021505031.tif 000005
【図２Ｃ】
2021505031.tif 000006
【図２Ｄ】
2021505031.tif 000007
【図３】
2021505031.tif 000008
【図４】
2021505031.tif 000009
【図５】
2021505031.tif 000010
【図６】
2021505031.tif 000011
【図７】
2021505031.tif 000012
【図８】
2021505031.tif 000013
【図９】
2021505031.tif 000014
【国際調査報告】
2021505031.tif 000015
2021505031.tif 000016
2021505031.tif 000017